(57)【要約】  【課題】  本発明は、コストの安い大電流対応の溶接トランスを提供することを目的とする。  【解決手段】  この目的を達成するために本発明は、Ｕ字型またはコの字型フェライトコアを組み合わせてＥ字型フェライトコアを構成し、前記Ｅ字型ワェライトコアと対になるＥ字型フェライトコアを対称形に付き合わせて組み合わせたフェライトコアを１組以上並べて巻線を施したもの、または、Ｕ字型またはコの字型フェライトコアの開口部分を付き合わせてロの字型フェライトコアを構成し、前記ロの字型フェライトコアを付き合わせて組み合わせたフェライトコアを１組以上並べて巻線を施したものである。【選択図】  図１
2005228858.tif 000002
【特許請求の範囲】
【請求項１】
Ｕ字型またはコの字型フェライトコアを組み合わせてＥ字型フェライトコアを構成し、前記Ｅ字型ワェライトコアと対になるＥ字型フェライトコアを対称形に付き合わせて組み合わせたフェライトコアを１組以上並べて巻線を施した溶接トランス。
【請求項２】
Ｕ字型またはコの字型フェライトコアの開口部分を付き合わせてロの字型フェライトコアを構成し、前記ロの字型フェライトコアを付き合わせて組み合わせたフェライトコアを１組以上並べて巻線を施した溶接トランス。
【発明の詳細な説明】
【技術分野】
【０００１】
本発明は、フェライトコアを用いた溶接トランスに関するものである。
【背景技術】
【０００２】
従来の溶接トランスの構成について図５を参照しながら説明する。
【０００３】
従来の溶接トランスは、大型のＥ字型フェライトコア５を単体で対称形に付き合わせて組み合わせることで、大電流対応の溶接トランスを構成していた（例えば特許文献１参照）。
【特許文献１】特開昭６１−２３１１号公報
【発明の開示】
【発明が解決しようとする課題】
【０００４】
このような従来の溶接トランスで大電流に対応する場合は、巻線の電流密度の上昇でより大きな断面積をもつ巻線が必要となり、大きな開口部分をもったＥ字型フェライトコアを必要としていたので大電流対応の溶接トランスにする場合、溶接トランス用の専用設計品として新規に大きな開口部分をもつＥ字型フェライトコアを作る必要があり、金型費用、小ロット数によるコストアップの面で問題があった。
【０００５】
また、溶接トランスの出力条件に応じてフェライトコアの断面積を変更する必要があり、出力条件ごとに形状の異なるフェライトコアを必要とし、更にコストアップとなっていた。
【０００６】
本発明は上記課題を解決するもので、コストの安い大電流対応の溶接トランスを提供することを目的とする。
【課題を解決するための手段】
【０００７】
上記課題を解決するために、本発明の溶接トランスは、Ｕ字型またはコの字型フェライトコアを組み合わせてＥ字型フェライトコアを構成し、前記Ｅ字型ワェライトコアと対になるＥ字型フェライトコアを対称形に付き合わせて組み合わせたフェライトコアを１組以上並べて巻線を施したもの、または、Ｕ字型またはコの字型フェライトコアの開口部分を付き合わせてロの字型フェライトコアを構成し、前記ロの字型フェライトコアを付き合わせて組み合わせたフェライトコアを１組以上並べて巻線を施したものである。
【０００８】
このように、Ｕ字型またはコの字型フェライトコアを組み合わせてＥ字型あるいはロの字型のフェライトコアを構成するので、Ｕ字型またはコの字型フェライトコアの大きさを抑えることができ、また、Ｅ字型あるいはロの字型のフェライトコアの必要とされる大きさに応じてＵ字型またはコの字型フェライトコアを組み合わせることにより、簡単にフェライトコアの断面積を変更できる。
【発明の効果】
【０００９】
以上のように、本発明の溶接トランスは、Ｕ字型またはコの字型フェライトコアを組み合わせてＥ字型あるいはロの字型のフェライトコアを構成するので、Ｕ字型またはコの字型フェライトコアの大きさを抑えることができ、また、Ｅ字型あるいはロの字型のフェライトコアの必要とされる大きさに応じてＵ字型またはコの字型フェライトコアを組み合わせることにより、簡単にフェライトコアの断面積を変更でき、金型費用の削減やロット数アップによるコスト削減などコストの安い大電流対応の溶接トランスを提供することができる。
【発明を実施するための最良の形態】
【００１０】
以下、本発明の実施の形態について説明する。
（実施の形態１）
まず、図１、図２に示すように、例えば、基本となるコの字型フェライトコア１を組み合わせてＥ字型フェライトコア２を構成した大電流対応の溶接トランスについて説明する。
【００１１】
図のようにコの字型フェライトコア１を組み合わせてコの字状のバネ４で固定してＥ字型フェライトコア２を構成し、前記Ｅ字型フェライトコア２を対称形に付き合わせて組み合わせたものを１セットとし、必要とされる分、横に並べて結合する。
【００１２】
これらフェライトコアの結合にはバネ４や、ネジ止め、接着剤、テープ、ひも等その他各種接合方法を用いることができる。
【００１３】
このようにして構成したＥ型フェライトコア２の結合物にボビン等に施した巻線６を組み合わせて、大電流対応の溶接トランスを構成する。
（実施の形態２）
次に、図３、図４に示すように、例えば、基本となるコの字型フェライトコア１を組み合わせてロの字型フェライトコア３を構成した大電流対応の溶接トランスについて説明する。
【００１４】
コの字型フェライトコア１を組み合わせてバネ４で固定してロの字型フェライトコア３を構成し、前記ロの字型フェライトコア３を対称形に付き合わせて組み合わせたものを１セツトとし、必要とされる分、横に並べて結合する。
【００１５】
これらフェライトコアの結合にはバネ４や、ネジ止め、接着剤、テープ、ひも等その他各種接合方法を用いることができる。
【００１６】
このようにして構成したロの字型フェライトコア３の結合物にボビン等に施した巻線６を組み合わせて、大電流対応の溶接トランスを構成する。
【００１７】
実施の形態１，２のように構成したフェライトコアは、従来のＥ字型ワェライトコアを１セット使用するよりも、簡単に大電流対応の溶接トランスが構成できる。
【００１８】
なお、図２、図４のように、フェライトコア１セットを複数個組み合わせれば、フェライトコアの断面積が大きくなり、さらに大電流対応の溶接トランスとなる。
【００１９】
また、出力条件の違いにより、ワェライトコアの構成数を変更すれば、簡単にフェライトコアの断面積を変更可能な溶接トランスを構成することができる。
【００２０】
さらに、基本となるコの字型フェライトコアはコの字型以外にも、Ｕ字型でもよく、基本となるフェライトコアの断面形状は丸形、角形、多角形、楕円等、どんな形状でも溶接トランスの構成は可能である。
【産業上の利用可能性】
【００２１】
本発明の溶接トランスは、さまざまな出力条件に応じたトランスを共通のフェライトコアの組み合わせによって実現できるので、従来のものに比べてコストを削減でき産業上有用である。
【図面の簡単な説明】
【００２２】
【図１】本発明の実施の形態１におけるフェライトコアの組み合わせを示す構成図
【図２】本発明の実施の形態１における溶接トランスの要部構成図
【図３】本発明の実施の形態２におけるフェライトコアの組み合わせを示す構成図
【図４】本発明の実施の形態２における溶接トランスの要部構成図
【図５】従来の溶接トランスの断面図
【符号の説明】
【００２３】
１    コの字型フェライトコア
２    Ｅ字型フェライトコア
３    ロの字型フェライトコア
４    バネ
【図１】
2005228858.tif 000003
【図２】
2005228858.tif 000004
【図３】
2005228858.tif 000005
【図４】
2005228858.tif 000006
【図５】
2005228858.tif 000007